(57)【要約】  【課題】本発明は、長尺状の印字媒体をロール状に巻回したロール紙を回転可能に保持すると共にロール紙の両端をガイドするロール紙保持装置を提供することを課題とする。【解決手段】長尺状の用紙をロール形状に巻回したロール紙を保持するロール紙保持装置であって、ロール紙の側面をガイドするガイド面を対向配置した一対のガイド部材と、一対のガイド部材の穴内にそれぞれ設けられ、ロール紙を保持する保持部材と、それぞれの保持部材を他の保持部材に向かってガイド面から突出する位置に付勢する付勢部材と、を有することを特徴とする。【選択図】  図５
2010036989.tif 000002
【特許請求の範囲】
【請求項１】
長尺状の用紙をロール形状に巻回したロール紙を保持するロール紙保持装置であって、
ロール紙の側面をガイドするガイド面を対向配置した一対のガイド部材と、
一対のガイド部材の穴内にそれぞれ設けられ、ロール紙を保持する保持部材と、
それぞれの保持部材を他の保持部材に向かってガイド面から突出する位置に付勢する付勢部材と、を有することを特徴とするロール紙保持装置。
【請求項２】
前記保持部材はロール紙を保持する面が球面であることを特徴とする請求項１記載のロール紙保持装置。
【発明の詳細な説明】
【技術分野】
【０００１】
本発明は、長尺状の印字媒体をロール状に巻回したロール紙を回転可能に保持すると共にロール紙の両端をガイドするロール紙保持装置に関する。
【背景技術】
【０００２】
ロール紙を保持するロール紙保持装置としてプリンタが知られている。プリンタは、長尺状の印字媒体をロール状に巻回したロール紙を回転可能に保持する供給部と、この供給部に保持されたロール紙を引き出して搬送すると共に印字を施す印字部を備えている。この様なプリンタにおいて、幅の異なる他のロール紙を用いる場合や用紙切れ等によって、ロール紙を交換する作業が必要となる。
特許文献１には、ロール紙の紙管に挿通される保持軸と、この保持軸の一端に固定されたガイド板と、保持軸の他端側に着脱可能に設けられたスライドガイド板と、ロール紙の幅に応じて前記ガイド板とロール紙の間に挟みこむスペーサを有し、ロール紙の一方端面をガイド板にガイドされるように保持軸に挿通してロール紙の他方端面をスライドガイド板によってガイドすることでロール紙をその中心にセットするためのロール紙ホルダが開示されている。
【０００３】
【特許文献１】特開２００６−３１５７９１号公報
【発明の開示】
【発明が解決しようとする課題】
【０００４】
しかしながら、特許文献１においてロール紙を交換するたびに保持軸からスライドガイドを着脱しなければならず交換作業が煩雑であった。また、セットするロール紙の幅が狭い場合のみスペーサが必要であって、間違って広い幅のロール紙の場合にスペーサを用いるとロール紙ホルダの中心からずれた位置にロール紙がセットされてしまう恐れがあった。
本発明は、このような事情に鑑みてなされたもので、ロール紙の交換作業を容易としたロール紙保持装置を提供することを課題とする。
【課題を解決するための手段】
【０００５】
本発明に係るロール紙保持装置は、長尺状の用紙をロール形状に巻回したロール紙を保持するロール紙保持装置であって、ロール紙の側面をガイドするガイド面を対向配置した一対のガイド部材と、一対のガイド部材の穴内にそれぞれ設けられ、ロール紙を保持する保持部材と、それぞれの保持部材を他の保持部材に向かってガイド面から突出する位置に付勢する付勢部材と、を有することを特徴とする。
また、前記保持部材はロール紙を保持する面が球面であることを特徴とする。
【発明の効果】
【０００６】
ガイド部材のガイド面から突出する位置に保持部材を付勢させる構成としたので、ロール紙を一対のガイド部材間に入れることでロール紙の両端面によってそれぞれの保持部材を穴内に向かって付勢力に抗して押入れることでロール紙を入れるスペースを確保し、ロール紙の紙管の位置に保持部材が位置するとその付勢力によって紙管内に保持部材が入り込むことでロール紙を保持することができ、簡単な操作でロール紙を装填することができる。
【発明を実施するための最良の形態】
【０００７】
以下、本発明の実施の形態を図面に基づいて詳細に説明する。尚、本発明のロール紙保持装置をプリンタ等の印字装置に適用した例で説明する。
【０００８】
図１は、本発明のロール紙保持装置を備えたプリンタの実施の形態にかかる概略側面図であり、図２はプリンタのカバーを開いた開状態の斜視図である。
プリンタ１は、本体１０と、この本体１０の支持軸１２対して回動可能なカバー１１から構成され、プリンタ１の内部構成として供給部２と、センサ３と、印字部４を有している。本体１０には、長尺状の用紙４１がロール形状の紙管４２に巻回されたロール紙４０を保持する後述のロール紙保持装置２０としての供給部２と、センサ３と、印字部４を構成するプラテンローラ６が設けられている。センサ３は、ロール紙４０から引き出された用紙４１を検知することで用紙４１の位置を認識可能としている。印字部４は、サーマルヘッド５とプラテンローラ６からなり、サーマルヘッド５はカバー１１側に設けられ、プラテンローラ６は本体１０側に設けられている。このような構成とすることによって、図２に示す開状態において供給部２に対してロール紙４０を装填するスペースを大きく確保することでロール紙４０の交換作業性を容易にするとともに、図１に示す閉状態において用紙４１をプラテンローラ６とサーマルヘッド５で挟持搬送し、サーマルヘッド５の発熱によって用紙４１上に所定の情報を印字可能としている。印字された用紙４１は、本体１０とカバー１１の隙間である排出口１６から排出される。
【０００９】
カバー１１は、カバー１１を図２に示す開状態に支持するガイドプレート３１によってガイドされながら開閉可能に構成されている。ガイドプレート３１は、支持軸１２を中心とする円弧状部材であり、一端部がカバー１１に固定されていると共に、解放端側が本体１０に形成されている開口３２に挿通され、カバー１１を開状態としたときにガイドプレート３１が開口３２から出没し、閉状態としたときにガイドプレート３１が開口３２内に収納される。
【００１０】
ガイドプレート３１は、弾性を有する材質から構成されており、ガイドプレート３１に形成されたスリット２９側に向かって弾性を有して撓むことができるようになっていると共に、ガイドプレート３１の外周面から突出して形成されたカバーストッパ３３が設けられ、カバー１１を所定の角度以上開くと、カバーストッパ３３が開口３２から引き出されて開口３２の縁部の表面側に弾性を有して当接することで、カバー１１を図２に示す開状態に支持できるようになっている。
【００１１】
また、カバー１１のガイドプレート３１が設けられている側と反対の端部近傍にはカバー１１を閉状態に維持するロック部材３４が設けられている。ロック部材３４はその先端がフック形状をなし、フックが本体１０に設けられた係合孔３５に係合することで閉状態を維持し、フックの係合孔３５への係合を解除することでカバー１１を開状態とすることを可能としている。
【００１２】
次に、ロール紙保持装置の構成について説明する。図３は、図２におけるＡ−Ａ線上におけるロール紙保持装置の断面図であり、図４はロール紙保持装置にロール紙を装填しているときの状態を示す断面図であり、図５はロール紙保持装置にロール紙を装填した状態を示す断面図である。ロール紙保持装置２０は、用紙４１の搬送方向に直交する（用紙４１の幅）方向に間隔を置いて設けられ、ロール紙の両側面をガイドするガイド面２１ａを対向配置した一対のガイド部材２１と、ガイド部材２１の上端近傍に位置し、それぞれのガイド部材２１から他のガイド部材に向かう方向に互いに突出するように設けられ、ロール紙の紙管を保持する保持部材２２を有している。保持部材２２は、半球形状の球面２３ａを持つ保持片２３と、球面２３ａとは反対側に配置され保持片２３と一体形成された鍔片２４と、鍔片２４の保持片２３とは反対の方向に植立された軸２５を備えている。また、軸２５の外側には、付勢部材としてのコイルバネ２６が設けられ、ガイド部材２１の内側に形成された穴２７内に保持部材２２が配置され、ガイド部材２１のガイド面２１ａから保持片２３の球面２３ａが出没可能に構成されている。コイルバネ２６は、ガイド部材２１の穴２７の内壁と鍔片２４の間に設けられ、鍔片２４を穴２７の内壁から離れる（他のガイド部材に向けて近づく）方向に付勢させている。また、穴２７の開放端側の内壁に鍔片２４が引っかかることで穴２７から保持部材２２が飛び出て外れないように構成されている。
また、それぞれのガイド部材２１の下端にはラックギア４５（図２参照）が一体形成され、本体１０の底に回転可能に設けられたピニオンギア（図示せず）と咬み合うことで一対のガイド部材２１を接離方向に可動としている。また、ガイド部材２１は、図示しない固定部材を有し、本体１０に対して所定の位置に固定可能となっている。
【００１３】
以上のように構成したロール紙保持装置にロール紙を装填する手順を説明する。まず、一方のガイド部材を他方のガイド部材に向けて動かし、ピニオンギアおよびラックギア４５によって一対のガイド部材２１の間隔がロール紙４０の幅ａ（図４参照）よりも僅かに広い位置で固定する。ロール紙４０を装填する前は図３に示すようにコイルバネ２６の付勢力によって保持部材２２がガイド面２１ａから他のガイド部材に向けて最大限突出した状態となっている。
【００１４】
図４に示すようにロール紙４０を一対のガイド部材２１間に入れるとロール紙４０の両端面によってそれぞれの保持部材２２を穴２７内に向かって（コイルバネ２６の付勢力に抗して）押入れることで幅ａのロール紙４０を入れるスペースを確保し、保持部材２２が穴２７内に収納される。保持部材２２が穴２７に収納されることでガイド面２１ａから保持片２３が突出しなくなり、ロール紙５０の端面によって保持部材２２を外側（保持部材２２が互いに離反する方向）に押しながら、ロール紙４０を装填する。図５に示すように保持片２３の位置に紙管４２が位置するとコイルバネ２６の復元力（付勢力）によって紙管４２の内径ｂに保持片２３が入り込み、保持片２３の球面２３ａで紙管４２を保持する。
また、ロール紙保持装置２０からロール紙４０を取り外す際は、上述同様にロール紙４０を上方に引っ張り、ロール紙の両端面によってそれぞれの保持部材２２を外側に押し込むことでガイド部材２１間の距離を広げることによって取外す。
【００１５】
また、ロール紙４０の紙管４２の内径ｂよりも小さい内径ｃからなる紙管５１を有するロール紙５０であっても保持片２３によって保持することができる。図６は、ロール紙５０を用紙保持装置に装填した状態を示す図であり、同図に示すように球面２３ａの先端側近傍で紙管５１の内径ｃを保持することができる。以上のようにロール紙の幅ａが同幅であって、紙管の内径が異なるロール紙であってもロール紙保持装置にロール紙を保持することができる。図７は、紙管の内径と保持片の関係を説明する図であり、同図に示すように紙管の内径Ｘが保持片３３の直径Ｙ以下であれば球面２３ａと内径の接点でロール紙をしっかりと保持することができる。また、紙管の内径Ｘが保持片３３の直径Ｙ以上であっても保持片３３に内径Ｘを引っ掛けて保持することもできる。
【００１６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００１７】
【図１】本発明の実施の形態に係るロール紙保持装置を備えたプリンタの概略側面図である。
【図２】プリンタのカバーを開いた開状態の斜視図である。
【図３】図２におけるＡ−Ａ線上におけるロール紙保持装置の断面図である。
【図４】ロール紙保持装置にロール紙を装填しているときの状態を示す断面図である。
【図５】ロール紙保持装置にロール紙を装填した状態を示す断面図である。
【図６】ロール紙保持装置に紙管幅の狭い他のロール紙を装填した状態を示す断面図である。
【図７】紙管の内径と保持片の関係を説明する説明図である。
【符号の説明】
【００１８】
１    プリンタ
２    供給部
３    センサ
４    印字部
５    サーマルヘッド
６    プラテンローラ
１０    本体
１１    カバー
１２    保持軸
１６    排出口
２０    ロール紙保持装置
２１    ガイド部材
２１ａ  ガイド面
２２    保持部材
２３    保持片
２３ａ  球面
２４    鍔片
２５    軸
２６    コイルバネ
２７    穴
２９    スリット
３１    ガイドプレート
３２    開口
３３    カバーストッパ
３４    ロック部材
３５    係合孔
４０    ロール紙
４１    用紙
４２    紙管
４５    ラックギア
５０    ロール紙
５１    紙管
【図１】
2010036989.tif 000003
【図２】
2010036989.tif 000004
【図３】
2010036989.tif 000005
【図４】
2010036989.tif 000006
【図５】
2010036989.tif 000007
【図６】
2010036989.tif 000008
【図７】
2010036989.tif 000009